(57)【要約】【課題】複数のページのそれぞれのページ画像を表示する機能を多様化する。【解決手段】ビューワ装置は、ディスプレイ、タッチパネル、領域設定部および表示制御部を備える。領域設定部は、ドキュメントの第１のページのページ画像が表示された状態において、表示面内の当該ページ画像を表示している領域であるページ表示領域のうちの一部分を指定する第１のタッチ操作が検出されたときに、指定された部分をページ切替え表示領域に設定する。表示制御部は、ページ切替え表示領域が設定された状態において、ページの切替えを指示する第２のタッチ操作が検出されたときに、ドキュメントにおける第２のページのページ画像のうちの第１のページのページ画像におけるページ切替え表示領域に対応する部分と同じ位置範囲の部分をページ切替え表示領域において表示するように、ページ表示領域の表示内容を部分的に変更する。【選択図】図６
2014186577.tif 000002
【特許請求の範囲】
【請求項１】
ディスプレイと、
前記ディスプレイの表示面に対するタッチ操作を検出するタッチパネルと、
複数のページを有するドキュメントのいずれかのページである第１のページのページ画像が前記ディスプレイによって表示された状態において、前記表示面内の当該ページ画像を表示している領域であるページ表示領域のうちの一部分を指定する第１のタッチ操作が前記タッチパネルによって検出されたときに、指定された部分をページ切替え表示領域に設定する領域設定部と、
前記ページ切替え表示領域が設定された状態において、表示すべきページの切替えを指示する第２のタッチ操作が前記タッチパネルによって検出されたときに、前記ページ表示領域のうちの当該ページ切替え表示領域以外において前記第１のページのページ画像の表示を続け、かつ、前記ドキュメントにおける前記第１のページではない第２のページのページ画像のうちの前記第１のページのページ画像における前記ページ切替え表示領域に対応する部分と同じ位置範囲の部分を当該ページ切替え表示領域において表示するように、前記ページ表示領域の表示内容を部分的に変更する表示制御部と、を備える
ことを特徴とするビューワ装置。
【請求項２】
前記第１のタッチ操作として、前記ページ表示領域の周縁の二箇所を横切るように前記表示面内の一点をタッチした後に引き続いてタッチ点を移動させる操作が定められており、
前記領域設定部は、前記タッチ点の移動経路を境界として区分された当該ページ表示領域の二つの部分のうちの片方を前記ページ切替え領域に設定する
請求項１記載のビューワ装置。
【請求項３】
前記第２のタッチ動作として、前記ページ切替え表示領域内の一点をタッチした後に引き続いてタッチ点を移動させる操作が定められている
請求項１または２記載のビューワ装置。
【請求項４】
前記領域設定部は、前記ページ切替え表示領域が設定された状態において、当該ページ切替え表示領域内の一点をタッチした後に引き続いてタッチ点を移動させる第３のタッチ操作が前記タッチパネルによって検出されたときに、当該ページ切替え表示領域の設定を解除する
請求項１ないし３のいずれかに記載のビューワ装置。
【請求項５】
前記第１のタッチ操作として、前記ページ表示領域内の一点をタッチした後に引き続いて移動経路が環を描いて交差する線状になるように前記ページ表示領域内でタッチ点を移動させる操作が定められており、
前記領域設定部は、前記ページ表示領域のうちの前記移動経路で囲まれる部分を前記ページ切替え表示領域に設定する
請求項１ないし４のいずれかに記載のビューワ装置。
【請求項６】
前記タッチパネルは複数箇所を同時にタッチするマルチタッチ操作の検出が可能であり、
前記第１のタッチ操作として、前記ページ表示領域の周縁を形成する四辺のうちの二辺を横切るように当該二辺の一方から他方へ前記表示面内の二つのタッチ点を同時に移動させる操作が定められており、
前記領域設定部は、前記ページ表示領域のうちの前記二つのタッチ点の移動経路と前記二辺とで囲まれる部分を前記ページ切替え表示領域に設定する
請求項１ないし５のいずれかに記載のビューワ装置。
【請求項７】
ディスプレイと、
前記ディスプレイの表示面に対するタッチ操作を検出するタッチパネルと、
複数のページを有するドキュメントのいずれかのページである第１のページのページ画像の印刷状態が前記ディスプレイによってプレビュー表示された状態において、前記表示面内の当該ページ画像を表示している領域であるページ表示領域のうちの一部分を指定する第１のタッチ操作が前記タッチパネルによって検出されたときに、指定された部分をページ切替え表示領域に設定する領域設定部と、
前記ページ切替え表示領域が設定された状態において、プレビュー表示すべきページの切替えを指示する第２のタッチ操作が前記タッチパネルによって検出されたときに、前記ページ表示領域のうちの当該ページ切替え表示領域以外において前記第１のページのページ画像のプレビュー表示を続け、かつ、前記ドキュメントにおける前記第１のページではない第２のページのページ画像のうちの前記第１のページのページ画像における前記ページ切替え表示領域に対応する部分と同じ位置範囲の部分の印刷状態を当該ページ切替え表示領域においてプレビュー表示するように、前記ページ表示領域の表示内容を部分的に変更する表示制御部と、を備える
ことを特徴とする画像形成装置。
【発明の詳細な説明】
【技術分野】
【０００１】
本発明は、ドキュメントのページ画像を表示するビューワ装置および画像形成装置に関する。
【背景技術】
【０００２】
オフィス用の情報機器として知られるＭＦＰ（Multi-functional Peripheral）は、操作画面（操作用の画像）を表示するディスプレイを備えている。ＭＦＰは、ドキュメントの印刷に際して、印刷されるページ画像のプレビュー表示を操作パネルに組み付けられたディスプレイを用いて行なう。一般に、プレビュー表示では、複数のページを有するドキュメントについて１ページずつその出力状態を表わすページ画像が表示される。ユーザーは所定のページ切替え操作をすることによって、ドキュメントの全ページについて順にページ画像を表示させることができる。
【０００３】
ＭＦＰまたは他の多機能化した情報機器は、操作入力手段としてタッチパネルを備えている。ここでいうタッチパネルは、液晶パネルのようなディスプレイに重ね合わせて用いられるタッチ式ポインティングデバイスである。タッチパネルの表面は、操作画面が表示される表示面（スクリーン）と操作のためのタッチ面とを兼ねる。
【０００４】
投影型の静電容量方式のタッチパネルは、複数の指を同時にタッチ面に接触させるマルチタッチ操作を検出することができる。このタッチパネルは、近年において普及が進むスマートフォンやタブレット型パーソナルコンピューターといった携帯型の情報機器で用いられている。タップやフリックといったシングルタッチ操作だけでなく、ピンチや回転といったマルチタッチ操作が検出されることにより、シングルタッチ操作では手間の掛かる指示を単純なジェスチャーで情報機器に与えることができるようになる。例えば、印刷のプレビュー表示中のピンチインおよびピンチアウトによって、印刷倍率の設定値を変更させることができる（特許文献１）。
【０００５】
表示させるページの切替え操作として所定のマルチタッチ操作を受け付ける先行技術がある。特許文献２に記載された電子黒板は、表示面上の画像を、マルチタッチ位置の移動方向にしたがって１ページ分切替える。
【先行技術文献】
【特許文献】
【０００６】
【特許文献１】特開２０１２−１２３０６６号公報
【特許文献２】特開２０１２−１６８６２０号公報
【発明の概要】
【発明が解決しようとする課題】
【０００７】
上述したＭＦＰにおける従来のプレビュー表示のように、複数のページのそれぞれの記載内容を表わすページ画像を一つずつ選択的に表示する場合、表示されているページ画像の全体がページ切替え操作に従って他のページのページ画像に置き換わる。ページ画像の置き換えには、ドキュメントデータのラスタライズやディスプレイに合わせる変倍といった処理を伴う。そして、その処理の所要時間は置換えられるページ画像のデータ量に依存する。
【０００８】
ここで、ページ切替え操作を行なうユーザーが各ページの一部分のみに注目する場合が想定される。例えば、コピーやファクシミリ送信に際して複数枚の原稿シートに手書きでページ番号を記入することがある。ユーザーが原稿シートを重ねて原稿台にセットしてジョブの開始を指示すると、ＭＦＰが原稿シートから画像が読み取る。この段階でユーザーがページ番号の記入漏れがないかどうかをプレビュー表示によって確認するという状況が考えられる。この他、履歴書の顔写真や捺印の必要な書類の印影が鮮明に印刷されるかどうか、またはヘッダーやフッターの記載が正しいかどうかを確認することなどもある。
【０００９】
従来では、ユーザーが複数のページのそれぞれの一部分のみを注目する場合に、注目しない部分についてページ切替え操作に従って無駄に表示が更新されてしまう。ユーザーにとって不要な処理を行なう分だけページの切替りが遅くなる。また、注目する必要のない部分の表示内容の変化にユーザーが気を取られ、注目すべき部分に注目し辛いおそれがあった。
【００１０】
本発明は、このような事情に鑑み、複数のページのそれぞれのページ画像を表示する機能の多様化を図ることを目的としている。
【課題を解決するための手段】
【００１１】
上記目的を達成するビューワ装置は、ディスプレイと、前記ディスプレイの表示面に対するタッチ操作を検出するタッチパネルと、複数のページを有するドキュメントのいずれかのページである第１のページのページ画像が前記ディスプレイによって表示された状態において、前記表示面内の当該ページ画像を表示している領域であるページ表示領域のうちの一部分を指定する第１のタッチ操作が前記タッチパネルによって検出されたときに、指定された部分をページ切替え表示領域に設定する領域設定部と、前記ページ切替え表示領域が設定された状態において、表示すべきページの切替えを指示する第２のタッチ操作が前記タッチパネルによって検出されたときに、前記ページ表示領域のうちの当該ページ切替え表示領域以外において前記第１のページのページ画像の表示を続け、かつ、前記ドキュメントにおける前記第１のページではない第２のページのページ画像のうちの前記第１のページのページ画像における前記ページ切替え表示領域に対応する部分と同じ位置範囲の部分を当該ページ切替え表示領域において表示するように、前記ページ表示領域の表示内容を部分的に変更する表示制御部と、を備える。
【発明の効果】
【００１２】
複数のページを有するドキュメントの表示に際して、ページ内の一部の位置範囲に限定したページ切替え表示を実現することができる。
【図面の簡単な説明】
【００１３】
【図１】本発明の実施形態に係るビューワ装置を有するＭＦＰのハードウェア構成の概略を示す図である。
【図２】ＭＦＰの操作パネルの構成の例を示す図である。
【図３】ビューワ装置の機能構成を示す図である。
【図４】ビューワ装置によって表示されるドキュメントのページ画像の例を示す図である。
【図５】操作パネルにおけるプレビュー表示領域のレイアウトの例を示す図である。
【図６】ページ画像のプレビュー表示におけるページ送りの例を示す図である。
【図７】ページ画像のプレビュー表示におけるページ戻しの例を示す図である。
【図８】ページ表示領域の一部分を指定するタッチ操作の第１例とそれによって設定されるページ切替え表示領域とを示す図である。
【図９】ページ表示領域の一部分を指定するタッチ操作の第２例とそれによって設定されるページ切替え表示領域とを示す図である。
【図１０】ページ表示領域の一部分を指定するタッチ操作の第３例とそれによって設定されるページ切替え表示領域とを示す図である。
【図１１】ページ表示領域の一部分を指定するタッチ操作の第４例とそれによって設定されるページ切替え表示領域とを示す図である。
【図１２】ページ表示領域の一部分を指定するタッチ操作の第５例とそれによって設定されるページ切替え表示領域とを示す図である。
【図１３】ページ画像の部分拡大表示の例を示す図である。
【図１４】ページ画像の部分移動表示の例を示す図である。
【図１５】ビューワ装置の動作の概略を示すフローチャートである。
【図１６】ビューワ装置が実行する領域設定処理ルーチンのフローチャートである。
【図１７】ビューワ装置が実行する表示変更処理ルーチンのフローチャートである。
【発明を実施するための形態】
【００１４】
画像表示の可能な操作パネルを備えるＭＦＰは、印刷または他の処理の仕上がり状態をプレビュー表示する機能を有している。このプレビュー表示をドキュメントのページ画像の表示の一例として挙げる。プレビュー表示において、タッチ操作に応じた表示の切替えを実施することができる。
【００１５】
図１に例示されるＭＦＰ１は、コピー機、プリンター、ネットワークスキャナー、ファクシミリ機、ドキュメントサーバーなどとして使用可能な複合型の情報機器である。コピーやネットワークプリンティングといった印刷機能をもつので、ＭＦＰ１は画像形成装置の一種でもある。
【００１６】
ＭＦＰ１は、例えば企業のオフィスに構築されたＬＡＮ(Local Area Network)４に接続され、複数のパーソナルコンピューター５，６、他のＭＦＰ１ｂなどの外部機器との通信が可能である。また、ＭＦＰ１は、電話回線９を介するファクシミリ通信が可能である。ＭＦＰ１は、操作パネル２１による操作および外部機器からのアクセスに応じて動作する。
【００１７】
ＭＦＰ１は、ディスプレイ２２およびタッチパネル２３が組み付けられた操作パネル２１、記憶領域の一部が画面データメモリ３１として用いられるストレージ３０、およびＭＦＰ１の動作を統括的に制御するメインコントローラー３３を有する。ディスプレイ２２は、例えば画面サイズが約８インチの液晶パネルである。タッチパネル２３は、マルチタッチの検出が可能な投影型の静電容量方式のポインティングデバイスであり、ディスプレイ２２の表示面に重なるタッチ面内のタッチ位置に応じた信号を出力する。画面データメモリ３１は、操作パネル２１で表示される操作画面を構成する画面パーツを記憶する。
【００１８】
メインコントローラー３３は、制御プログラムや各種アプリケーションを実行するコンピューターとしてのＣＰＵ（Central Processing Unit）３４、制御プログラムを記憶するＲＯＭ（Read Only Memory）３５、およびプログラム実行のワークエリアとされるＲＡＭ（Random Access Memory）３６を有する。
【００１９】
ＭＦＰ１は、印刷に関わる構成要素として、ＡＤＦ（Auto Document Feeder）２４、画像スキャナー２５、プリンターエンジン２６、および用紙スタッカー２７を備え、通信に関わる構成要素として、通信インタフェース２８およびモデム２９を備える。ＡＤＦ２４は、コピー、画像入力、またはファクシミリ送信において、原稿シートを画像スキャナー２５における読取り位置へ搬送する。画像スキャナー２５は原稿シートに記録されている画像情報を光学的に読み取る。プリンターエンジン２６は、多段式の用紙スタッカー２７から供給される用紙の片面または両面に電子写真法によってモノクロまたはカラーの画像を印刷する。通信インタフェース２８はＭＦＰ１をＬＡＮ４に接続する。モデム２９は電話回線によるファクシミリ通信のためのＮＣＵ（Network Control Unit）を備えている。
【００２０】
このようなＭＦＰ１は、ドキュメントを印刷したり外部機器へ転送したりファクシミリデータに変換して送信したりする際、ユーザーの指示を受けてユーザーによる処理結果の確認または処理対象（ドキュメント）の確認のためのプレビュー表示を行なう。すなわち、プレビュー表示を行なうビューワ装置２がＭＦＰ１に含まれる。ビューワ装置２は、ハードウェア要素として、ディスプレイ２２、タッチパネル２３、画面データメモリ３１、ＣＰＵ３４、ＲＯＭ３６、およびＲＡＭ３６を有している。
【００２１】
なお、プレビュー表示に関わる“ドキュメント”とは、ページ単位の視覚情報である。コンピューター上でアプリケーションによって作成されたテキスト、図表、画像などを表わす非ラスターデータも、画像スキャナー２５によって得られるラスターデータ（いわゆるスキャン画像）もドキュメントに含まれる。
【００２２】
図２のように、ＭＦＰ１の操作パネル２１は、種々の操作画面を表示するタッチパネル部２１Ａと、種々の固定キーが配置されたキーパネル部２１Ｂとを有する。図示の例において、タッチパネル部２１Ａの表示面２１０は、タッチパネルによってタッチ操作が検出されるタッチ面でもある。キーパネル部２１Ｂの固定キーとしては、数値入力のためのキーアレイ（テンキー）４０、ジョブの実行を開始させるスタートキー４１、およびプレビュー表示を行なう確認コピーモードを指定するための確認キー４３などがある。
【００２３】
図３はビューワ装置２の機能構成を示している。ビューワ装置２は、操作入力処理部２０１、表示制御部２０２、および領域設定部２０３を有する。これら要素は、ＣＰＵ３４が所定の制御用コンピュータプログラムを実行することによって実現される機能要素である。
【００２４】
操作入力処理部２０１は、タッチパネル２３から出力されるタッチ位置を示すタッチ情報に基づいて、ユーザーによるタッチ操作のジェスチャーを判別する。詳しくは、タッチ点の個数、同一点がタッチされている時間、タッチ点の移動速度などから、タップ、ダブルタップ、ホールド（長押し）、フリック、ドラッグ／スワイプ、ピンチイン、ピンチアウトといったジェスチャーを判別する。判別結果は表示制御部２０２および領域設定部２０３に通知される。
【００２５】
また、操作入力処理部２０１は、キーパネル部２１Ｂからプレビュー表示に関わるキー操作を示す信号を受けたときに、ユーザーの指示を表示制御部２０２に通知する。例えば、操作を待つ待機状態において確認キー４３が押下されると、確認コピーモードの指定を通知し、確認コピーモードにおいてスタートキー４１が押下されると、プレビュー表示の終了指示を通知する。
【００２６】
表示制御部２０２は、ユーザーによる操作に応じて、操作画面を切り替えたり、スクロール・ポップアップ・強調といった操作画面内の部分的な表示変更を行なったりする。表示制御部２０２は、表示させるべき操作画面を、画面データメモリ３１から適宜読み出した画面パーツデータを組み合せて作成する。その際、作成中の操作画面がプレビュー領域を有する場合は、一時記憶メモリ３６１から読み出したラスターデータをページ画像としてプレビュー領域内に配置する。このとき、一時記憶メモリ３６１から読み出されるラスターデータは、スキャン画像データまたはページ記述言語やＨＴＭＬ（Hypertext Markup Language）による記述に基づいて描画されたラスターデータをプレビュー用に解像度変換したデータである。
【００２７】
この表示制御部２０２には、領域設定部２０３によってページ切替え表示領域が設定されたときに、ページ切替え表示領域を特定する領域設定情報が領域設定部２０３から与えられる。ページ切替え表示領域は、プレビュー表示において、１ページ分のページ画像が表示されるページ表示領域のうちのユーザーが指定した一部分である。領域設定情報が与えられていないとき、表示制御部２０２は、ページ切替え操作に応じて、表示しているページ画像の全体を他のページのページ画像に切り替える。これに対して、領域設定情報が与えられたときには、表示制御部２０２は、ページ画像の全体ではなく、ページ切替え表示領域に対応する部分のみのページ切替えである“部分ページ切替え”を行なう。
【００２８】
領域設定部２０３は、プレビュー領域を有する操作画面が表示されている状態において所定のタッチ操作が行なわれたときに、上述のページ切替え表示領域を設定する。例えば、プレビュー領域のうちのページ表示領域を横断または縦断するようにタッチ点を移動させるタッチ操作が行なわれたとき、横断線または縦断線で区分されたページ表示領域における二つの部分の一方をページ切替え表示領域に設定する。
【００２９】
図４はビューワ装置２によって表示されるドキュメントのページ画像の例を示している。例示のドキュメント６０は五つのページを有する。ただし、ページ数は５に限らない。図４では五つのページのそれぞれのページ画像６１，６２，６３，６４，６５が模式的に示されている。
【００３０】
ページ画像６１，６２，６３，６４，６５のいずれにも、右下隅部に同じスタンプ像７０が配置されている。ここで、これらスタンプ像７０はＭＦＰ１のスタンプ機能によってドキュメント６０に付加されたものであるとする。スタンプ機能は、印刷・送信・保存といった処理の対象であるドキュメントにおけるユーザーの指定したページに対して、「至急」「回覧」「社外秘」などのスタンプ像を付加する機能である。
【００３１】
図５のように操作パネルの表示面２１０には、所定のプレビュー表示操作が行なわれたときに、プレビューウィンドウＱ１０を含む操作画面Ｑ１が表示される。例えば、原稿画像のコピーに際して、ユーザーは必要に応じて倍率、カラー、その他の所望の設定をし、確認キー４３を押してその後にスタートキー４１を押す。そうすると、スタートキー４１の押下の以前にＡＤＦ２４にセットされた原稿シートから原稿画像が読み取られ、操作画面Ｑ１の一部としてプレビューウィンドウＱ１０が表示される。
【００３２】
プレビューウィンドウＱ１０は、プレビュー画像が配置されるプレビュー領域８０を有する。プレビュー領域８０の上にプレビュー表示についてのメーッセージを表示する欄が設けられ、プレビュー領域８０の右側にプレビュー表示のモードを指定するためのボタンやプレビューウィンドウＱ１０を閉じることを指定するためのボタンが設けられている。１ページずつプレビュー表示をするモードでは、最初に先頭ページのページ画像が表示される。図５では、プレビュー表示の対象である図４のページ画像６１，６２，６３，６４，６５のうち、先頭ページのページ画像６１が表示されている。以下では、プレビュー領域８０のうちの１ページ分のページ画像が表示されている長方形の領域をページ表示領域８２という。
【００３３】
なお、図示を省略したが、プレビュー領域８０内のページ表示領域８２以外の部分において、プレビュー表示対象のページ数および表示中のページの番号、用紙サイズ、用紙の向き（ポートレイト／ランドスケープ）、印刷倍率などが文字や図形で表示される。
【００３４】
ＭＦＰ１では、ユーザーがページ表示領域８２内の位置を起点とする左右方向のフリックまたはスワイプを行なえば、プレビュー表示のページが切り替わる。さらに、本実施形態では、ページ画像の一部分のみを他のページのページ画像に切り替える“部分ページ切替え”が行なわれる。ユーザーは、ページ表示領域８２のうちの任意の一部分をページ画像が切り替わるページ切替え表示領域に指定することができる。
【００３５】
図６および図７は部分ページ切替えの例を示している。図６では表示中のページよりもページ番号が大きいページへ切替えるページ送りが示され、図７では表示中のページよりもページ番号が小さいページへ切替えるページ戻しが示される。以下の説明では、ユーザーが指でタッチ面をタッチするものとするが、タッチペンや他の用具を用いてタッチしてもよい。
【００３６】
図６（Ａ）において、第１のページのページ画像６１を表示しているページ表示領域８２に対して、後述する領域指定操作に従って、図示のように太線の枠で輪郭の表示されるページ切替え表示領域８５が設定されている。例示のページ切替え表示領域８５はページ表示領域８２のうちの下端部分である。ページ切替え表示領域８５の設定によって、ページ画像６１はページ表示領域８２のうちのページ切替え表示領域８５以外に対応する非切替え画像６１Ａとページ切替え表示領域８５に対応する切替え画像６１Ｂとに区分される。
【００３７】
図６（Ｂ）のようにユーザーが指９１でページ切替え表示領域８５にタッチし、図６（Ｃ）のようにタッチしたまま指先を移動させる操作（これをスライドと呼称する）をする。スライドには、素早く払うように指９１を動かすフリック、およびタッチ面をなぞるよう指９１を動かすドラッグ（スワイプと呼ばれる場合がある）が含まれる。図示のように左へ指９１を動かすスライドが行なわれると、指先の移動と連動するようにページ画像６１のうちの切替え画像６１Ｂが左へ移動し、それに伴って次のページのページ画像６２におけるページ切替え表示領域８５に対応する部分である切替え画像６２Ｂが現われる。切替え画像６１Ｂのうちの移動によってページ切替え表示領域８５からはみ出る部分は表示されない。
【００３８】
切替え画像６１Ｂの移動が進むにつれて切替え画像６２Ｂのより広い部分が次第に表示されていく。図６（Ｄ）ではページ切替え表示領域８５の表示内容が第１のページの切替え画像６１Ｂから第２のページの切替え画像６２Ｂへ完全に切り替わっている。このようにページ切替え表示領域８５の表示内容が切り替わるのに対して、ページ画像６１のうちの非切替え画像６１Ａは変わらず表示され続ける。
【００３９】
ページ切替え表示領域８５のみの表示内容が切り替わるので、ページ表示領域８２全体の表示を切り替えるわる場合よりも表示処理のデータ量が少ない。これにより切替りが迅速になる。また、切替り後にページ切替え表示領域８５に表示されるページ画像の部分は、切替り前のページと同一の位置の部分であるので、ユーザーは各ページの同一部分の内容を迅速に確認することができる。つまり、従来のようにページ切替え時にページの先頭を表示する場合には、例えばページの末尾部を表示するためにスクロール操作をしなければならないことが生じ得る。これに対して、ＭＦＰ１ではページの末尾部をページ切替え表示領域８５に設定することにより、ページが切り替わるごとにスクロール操作をする手間を無くすことができる。さらに、非切替え画像６１Ａの表示が変わらないので、ユーザーはページ切替え表示領域８５の観察に集中することができる。に
図６（Ｅ）の表示状態は図６（Ｄ）の表示状態と同じである。ユーザーはページ切替え表示領域８５を指で隠さないようにして、切替え画像６２Ｂの内容を確認することができる。例えば、第２のページにもスタンプ像７０が正しく配置されていることを確かめることができる。
【００４０】
図６（Ｆ）では、図６（Ｃ）と同様に左へ指９１を動かすスライドが行なわれている。第２のページの切替え画像６２Ｂが左へ移動し、それに伴って次の第３のページにおけるページ切替え表示領域８５に対応する部分である切替え画像６３Ｂの一部が現われている。図６（Ｇ）ではページ切替え表示領域８５の表示内容が第２のページの切替え画像６２Ｂから第３のページの切替え画像６３Ｂへ完全に切り替わっている。
【００４１】
図７（Ａ）の表示状態は図６（Ｇ）の表示状態と同じである。ユーザーは指のスライド方向が異なる以外はページ送りと同じ操作によってビューワ装置２にページ戻しを実行させることができる。図７（Ｂ）のようにユーザーがページ切替え表示領域８５にタッチしたまま指９１を右へ動かすスライドを行なうと、第３のページの切替え画像６３Ｂが右へ移動する。それに伴って前のページの切替え画像６２Ｂが現われる。切替え画像６３Ｂのうちの移動によってページ切替え表示領域８５からはみ出る部分は表示されず、切替え画像６３Ｂの移動が進むにつれて切替え画像６２Ｂのより広い部分が順次に表示されていく。図７（Ｃ）ではページ切替え表示領域８５の表示内容が第３のページの切替え画像６２Ｂから第３のページの切替え画像６３Ｂへ完全に切り替わっている。ページ戻しにおいても、ページ送りと同様に、ページ切替え表示領域８５の表示内容が切り替わるのに対して、ページ画像６１のうちの非切替え画像６１Ａは変わらず表示され続ける。
【００４２】
図８、図９、図１０、図１１および図１２はそれぞれページ表示領域の一部分を指定するタッチ操作の例とそれによって設定されるページ切替え表示領域とを示している。
【００４３】
図８（Ａ）の左側にプレビュー領域８０内に配置されたページ表示領域８２が描かれている。ページ表示領域８２は、その周縁の二箇所を横切るように指９１をスライドさせるタッチ操作によって二つの部分に区分される。横切る箇所は、左辺Ｖ１、右辺Ｖ２、上辺Ｈ１および下辺Ｈ２で構成される周縁上のいずれでもよい。図８の例は対辺を横切る例である。
【００４４】
図８（Ａ）において、指９１のスライドの移動経路９４が破線矢印で表わされている。移動経路９４は、ページ表示領域８２の外から左辺Ｖ１を横切ってページ表示領域８２に入り、そのまま直進して右辺Ｖ２を横切ってページ表示領域８２の外へ出る。ここで、図示のようにページ表示領域８２の四隅の頂点をａ，ｂ，ｃ，ｄとし、左辺Ｖ１の横切られた位置をｅとし、右辺Ｖ２の横切られた位置をｆとする。ページ表示領域８２（四角形ａｂｃｄ）は、移動経路９４における点ｅ，ｆを結ぶ部分を境界とする二つの四角形ａｅｆｄと四角形ｅｂｃｆとに区分される。
【００４５】
これら二つの四角形ａｅｆｄと四角形ｅｂｃｆとのうち、本実施形態では面積の小さい方がページ切替え表示領域８５に設定される。図８（Ａ）では、四角形ｅｂｃｆがページ切替え表示領域８５に設定されている。
【００４６】
図８（Ｂ）のように、ページ表示領域８２の内側での指のスライド方向が多少傾いていたとしてもページ切替え表示領域８５として長方形の領域が設定される。詳しくは、移動経路９５上の点ｅと点ｆとの上下方向の位置の差Δｙが閾値Δｔｈよりも小さい場合、上下方向の位置がスライド開始側の点ｅと等しい右辺Ｖ２上の点ｇを頂点の一つとする四角形ｅｂｃｇがページ切替え表示領域８５に設定される。
【００４７】
これに対して、図８（Ｃ）のように、移動経路９６上の点ｅと点ｆとの上下方向の位置の差Δｙが閾値Δｔｈよりも大きい場合、スライド終了側の点ｆを頂点の一つとする四角形ｅｂｃｆがページ切替え表示領域８５に設定される。この場合のページ切替え表示領域８５は台形である。
【００４８】
なお、左右の対辺に限らず、上下の対辺を横切るように、すなわちページ表示領域８２を縦断するようなタッチ操作が行なわれたときにも、それに応じてページ切替え表示領域８５が設定される。
【００４９】
図９の例は、ページ表示領域８２の周縁における対辺ではない二つの辺を横切るタッチ操作に対応する例である。図示では、ページ表示領域８２の下辺Ｈ２と右辺Ｖ２とを横切るように指９１のスライドが行なわれている。この場合、スライド開始側の下辺Ｈ２の横切られた位置をｅとし、スライド終了側の右辺Ｖ２の横切られた位置をｆとすると、ページ表示領域８２は移動経路９６における点ｅ，ｆを結ぶ部分を境界として五角形ａｂｅｆｄと三角形ｅｃｆとに区分される。そして、これら五角形ａｂｅｆｄと三角形ｅｃｆとのうち、面積の小さい三角形ｅｃｆがページ切替え表示領域８５ｃに設定される。
【００５０】
図１０の例のページ切替え表示領域８５ｄは、ページ表示領域８２の四つの頂点ａ，ｂ，ｃ，ｄを含まない。ユーザーはページ表示領域８２を通る２本の移動経路９７Ａ，９７Ｂを描くように２本の指９１，９２を移動させるスライドを行なう。例示では、左辺Ｖ１と右辺Ｖ２とを横切る移動経路９７Ａ，９７Ｂが描かれている。この場合、２本の移動経路９７Ａ，９７Ｂと横切られた左辺Ｖ１および右辺Ｖ２とで囲まれる四角形がページ切替え表示領域８５ｄに設定される。
【００５１】
図１１のように、ユーザーがページ表示領域８２内の所望の部分を囲む四角形を描くようにタッチしたまま指９１を動かすスライドを行なうと、移動経路９８に対応する四角形の領域がページ切替え表示領域８５ｅに設定される。
【００５２】
ユーザーはページ表示領域８２に対して複数のページ切替え表示領域を指定することができる。図１２では、既に四角形のページ切替え表示領域８５ｅが設定されている状態において、ページ表示領域８２内のページ切替え表示領域８５ｅ以外の部分を囲んで交差する曲線を描くように、すなわち環を描くように指９１を動かすスライドが行なわれている。この場合、移動経路９９に対応する不定形状の領域が新たにページ切替え表示領域８５ｆに設定される。
【００５３】
以上のようにして設定されるページ切替え表示領域は、図１３および図１４のように、部分ページ切替えではない部分的な表示切替えの対象領域にもなる。
【００５４】
図１３は部分拡大表示の例を示している。図１３において、上段に示されるように、プレビュー領域８０内のページ表示領域８２に対してページ切替え表示領域８５ｇが設定されている。ページ表示領域８２にはページ画像６１が表示されており、ページ画像６１はページ切替え表示領域８５ｇ以外の領域に対応する非切替え画像６１Ａとページ切替え表示領域８５ｇに対応する切替え画像６１Ｂとに区分されている。
【００５５】
図１３の中段に示されるように、ページ切替え表示領域８５ｇにタッチした２本の指の間隔を拡げるピンチアウトが行なわれると、下段に示されるように、ページ切替え表示領域８５ｇにおいて切替え画像６１Ｂを拡大した切替え画像６１Ｂ’が表示される。図示を省略したが、２本の指の間隔を狭めるピンチインが行なわれると、切替え画像６１Ｂに代えてそれを縮小した切替え画像が表示される。
【００５６】
図１４は部分移動表示の例を示している。上段に示されるように、ページ表示領域８２に対してページ切替え表示領域８５ｈが設定されている。ページ表示領域８２のうち、ページ切替え表示領域８５ｈ以外には第１のページの非切替え画像６１Ａが表示されており、ページ切替え表示領域８５ｈには第２のページの切替え画像６２Ｂが表示されている。
【００５７】
図１４の中段に示されるように、ページ切替え表示領域８５ｈに２本の指９１，９２を同時にタッチして引き続いてスライドするドラッグが行なわれると、スライドに連動するように第２のページについてのスクロールが行なわれて切替え画像６２Ｂが変わる。すなわち、第２のページ内でその一部を表示するウィンドウとしてのページ切替え表示領域８５ｈが移動したかのようにページ切替え表示領域８５ｈの表示内容がスライドに応じて逐次に更新される。そして、指９１，９２がタッチ面から離れてスライドが終了すると、下段に示されるようにスライド終了時点のスクロール状態に応じた切替え画像６２Ｂ’がページ切替え表示領域８５ｈにおいて表示される。
【００５８】
図１５のフローチャートはビューワ装置２の動作の概略を示している。
【００５９】
ビューワ装置２は、表示している操作画面がプレビュー領域８０を有しており(Ｓ０１でＹＥＳ）、かつプレビュー領域８０にタッチする操作が行なわれたとき(Ｓ０２でＹＥＳ）、領域設定処理を実行する（Ｓ０３）。その後、ページ切替え表示領域が設定されている場合に(Ｓ０４でＹＥＳ）、ビューワ装置２は表示変更処理を実行する。
【００６０】
一方、表示している操作画面がプレビュー領域８０を有していない場合（Ｓ０１でＮＯ）、ビューワ装置２はステップＳ０７に進んで他の操作画面に応じた処理を行なう。プレビュー領域８０を有する操作画面を表示している場合にプレビュー領域８０以外にタッチする操作が行なわれたとき（Ｓ０１でＹＥＳ、かつＳ０２でＮＯ））、ビューワ装置２は、他の操作に応じた処理を実行する（Ｓ０６）。
【００６１】
図１６のように、領域設定処理ルーチンでは、操作入力処理部２０１（図３参照）が、タッチパネル２３によって検出されたタッチ操作がページ切替え表示領域に関わる所定の領域指定操作に該当するかどうかを判別する。領域指定操作に該当すると判別されると、領域設定部２０３がタッチ位置の移動経路に応じたページ切替え表示領域を設定する。詳しくは次のとおりである。
【００６２】
操作入力処理部２０１は、ユーザーがタッチしたタッチ面上の点（タッチ点）が一つまたは二つであるかどうかをチェックする（Ｓ１０）。タッチ点が三つ以上であれば（Ｓ１０でＮＯ）、操作は無効である。この場合、当該ルーチンの処理は終了する。
【００６３】
操作入力処理部２０１は、タッチ点が一つであれば（Ｓ１１でＹＥＳ）、そのタッチ点の位置がプレビュー領域８０のうちのページ表示領域８２の外側の位置であるかどうかをチェックする（Ｓ１２）。このチェックでＹＥＳであった場合、操作入力処理部２０１は、タッチしたまま指を移動させるスライドが行なわれ、かつスライド終了時のタッチ点の位置がプレビュー領域８０のうちのページ表示領域８２の外側の位置であるかどうかをチェックする（Ｓ１３）。これらチェックによって、ページ表示領域８２の周縁の二箇所を横切るようなスライドが行なわれたかどうかが判別される。
【００６４】
ステップＳ１３のチェック結果がＹＥＳであった場合、領域設定部２０３は、スライドによってタッチ面上に仮想的に引かれる線、すなわちスライドの移動経路を境界としてページ表示領域８２を区分する（Ｓ１４）。そして、領域設定部２０３は、区分されたページ表示領域８２の二つの部分のそれぞれの面積（画素数）を算出し、二つの部分のうちの狭い方をページ切替え表示領域８５，８５ｂ，８５ｃ（図８、図９参照）に設定する（Ｓ１５）。
【００６５】
ステップＳ１３のチェック結果がＮＯであった場合、スライドがページ表示領域８２の周縁の一箇所のみを横切る操作であったことになる。このような操作は無効とされる。したがって、この場合はページ切替え表示領域を設定せずに処理を終える。
【００６６】
ステップＳ１２のチェック結果がＮＯであった場合は、タッチ点の位置がページ表示領域８２内の位置であった場合である。この場合、処理の流れはステップＳ１６へ進む。ステップＳ１６において、操作入力処理部２０１は、ページ表示領域８２をなぞるように指を移動させるスライドが行なわれ、かつそのスライドの移動経路が交差しているかどうかをチェックする。
【００６７】
ステップＳ１６のチェック結果がＹＥＳであった場合、領域設定部２０３は、スライドの移動経路で囲まれるページ表示領域８２内の部分をページ切替え表示領域８５ｅ，８５ｆ（図１１、図１２参照）に設定する（Ｓ１７）。ステップＳ１６のチェック結果がＮＯであった場合はページ切替え表示領域を設定せずに処理を終える。
【００６８】
一方、ステップＳ１１のチェックにおいてタッチ点が一つではなかった場合、処理の流れはステップＳ１８へ進む。ステップＳ１８において、操作入力処理部２０１は、二つのタッチ点の位置が共にプレビュー領域８０のうちのページ表示領域８２の外側の位置であるかどうかをチェックする。このチェックでＹＥＳであった場合、操作入力処理部２０１は、スライドが行なわれかつスライド終了時のタッチ位置がプレビュー領域８０のうちのページ表示領域８２の外側の位置であるかどうかをチェックする（Ｓ１９）。これらのチェックによって、ページ表示領域８２の周縁を横切るようなスライドが行なわれたかどうかが判別される。
【００６９】
ステップＳ１９のチェック結果がＹＥＳであった場合、領域設定部２０３は、スライドの移動経路を表わすタッチ面上に仮想的に引かれる２本の線とページ表示領域８２の端縁とで囲まれる部分をページ切替え表示領域８５ｄ（図１０参照）に設定する（Ｓ２０）。
【００７０】
図１６は図１５のステップＳ０５の表示変更処理ルーチンのフローチャートである。この表示変更処理ルーチンは、少なくとも一つのページ切替え表示領域が設定されている状態においてページ表示領域８２内の位置にタッチするタッチ操作が検出されたときに実行される。
【００７１】
操作入力処理部２０１は、設定されているページ切替え表示領域内の位置を開始位置とするスライドが行なわれたかどうかを判定する（Ｓ２１）。ページ切替え表示領域からタッチ点の移動が始まるスライドが行なわれた場合（Ｓ２１でＹＥＳ）、続いて操作入力処理部２０１は同時にタッチされたタッチ点の個数をチェックする（Ｓ２２）。このチェックの結果に応じて、表示制御部２０２がページ表示領域８２の表示内容を変更する。
【００７２】
タッチ点が一つであった場合、表示制御部２０２は、タッチ操作がフリックまたはドラッグであったとき（Ｓ２３でＹＥＳ）、ページ送り／戻し処理を実行する（Ｓ２４）。このページ送り／戻し処理では、図６および図７に例示される部分ページ切替えが行なわれる。
【００７３】
タッチ点が二つであった場合、表示制御部２０２は、タッチ操作がピンチアウトまたはピンチインであったとき（Ｓ２５でＹＥＳ）、拡大／縮小処理を実行する（Ｓ２６）。この拡大／縮小処理では、図１３に例示される部分拡大表示およびページ切替え表示領域に対応する切替え画像を縮小する部分縮小表示が、ピンチ操作に応じて行なわれる。
【００７４】
タッチ点が二つであった場合において、タッチ操作がドラッグであったとき（Ｓ２７でＹＥＳ）、表示制御部２０２はページ内移動処理を実行する（Ｓ２８）。ページ内移動処理では、図１４に例示される部分移動表示が行なわれる。
【００７５】
一方、最初のステップＳ２１のチェック結果がＮＯであった場合、すなわちページ表示領域８２のうちのページ切替え表示領域以外の位置がタッチされた場合、操作入力処理部２０１はフリックが行なわれたかどうかをチェックする（Ｓ２９）。フリックがおこなわれた場合（Ｓ２９でＹＥＳ）、領域設定部２０３がページ切替え表示領域の設定を解除する（Ｓ３０）。これにより、ページ表示領域８２におけるページ切替え表示領域とそれ以外との区分が無くなる。ページ表示領域８２では、非切替え画像に対応するページのページ画像全体が表示される。つまり、ページ表示領域８２の表示内容はページ切替え表示領域が設定される以前の内容に戻る。
【００７６】
以上の実施形態において、タッチ操作はユーザーの指によるタッチ面へのタッチに限らず、タッチペンによるタッチであってもよい。タッチは、タッチ面との接触に限らない。指やタッチペンの近接をタッチとして検出するタッチパネルを用いてもよい。タッチとして検出され続けながらタッチ面に沿って指やタッチペンを移動させるジェスチャーは、フリック、ドラッグまたはスワイプとして判別される。
【００７７】
ページ切替え表示領域の設定に際して、スライドの移動経路がページ表示領域８２内で湾曲したり蛇行したりする線状である場合、移動経路を所定の区間ごとに直線で近似して多角形のページ切替え表示領域を設定してもよいし、移動経路に対応する輪郭をもつ不定形状のページ切替え表示領域を設定してもよい。
【００７８】
部分ページ切替えを行なうページ画像の表示はプレビュー表示に限らない。例えば、パーソナルコンピューターのユーザーは、パーソナルコンピューターに保存されているドキュメントの内容を確認したり編集したりするために、ドキュメントのページ画像をディスプレイにモニター表示させることができる。このように現状のページ画像をユーザーが閲覧するためにページ画像が表示される場合にも、部分ページ切替えを行なうことができる。
【００７９】
タッチパネルを備えるタブレット型コンピューターやスマートフォンといった携帯型情報機器、および表示面上のタッチ操作に対応したオペレーティングシステムが稼動するパーソナルコンピューターにおいて、部分ページ切替えを実現してもよい。
【符号の説明】
【００８０】
１    ＭＦＰ（画像形成装置）
２    ビューワ装置
２１    操作パネル
２２    ディスプレイ
２１０    表示面
２３    タッチパネル
６０    ドキュメント
６１，６２，６３，６４，６５    ページ画像
８２    ページ表示領域
８５，８５ｂ，８５ｃ，８５ｄ，８５ｅ，８５ｆ    ページ切替え表示領域
２０３    領域設定部
２０２    表示制御部
９４,９５,９６，９７Ａ，９７Ｂ，９８，９９    移動経路
Ｖ１    左辺
Ｖ２    右辺
Ｈ１    上辺
Ｈ２    下辺
【図１】
2014186577.tif 000003
【図２】
2014186577.tif 000004
【図３】
2014186577.tif 000005
【図４】
2014186577.tif 000006
【図５】
2014186577.tif 000007
【図６】
2014186577.tif 000008
【図７】
2014186577.tif 000009
【図８】
2014186577.tif 000010
【図９】
2014186577.tif 000011
【図１０】
2014186577.tif 000012
【図１１】
2014186577.tif 000013
【図１２】
2014186577.tif 000014
【図１３】
2014186577.tif 000015
【図１４】
2014186577.tif 000016
【図１５】
2014186577.tif 000017
【図１６】
2014186577.tif 000018
【図１７】
2014186577.tif 000019